(57)【要約】【課題】所定数の画素データで構成される所定解像度の画像データを、より少ない数の副画素で表示することができる表示装置で表示することができる表示装置を提供する。【解決手段】表示装置は、複数の副画素が行列方向に沿ってマトリクス状に配列された表示部と、赤色、緑色及び青色の３色で構成される画素データがマトリクス状に配列された画像の入力信号に基づいて表示部が画像を表示するための出力信号を表示部に出力する信号処理部と、を備え、副画素の色は、赤色、緑色、青色及び白色を含み、Ｈ方向に並ぶ緑色の副画素と白色の副画素との間には赤色の副画素又は青色の副画素があり、２つの画素データＰｉｘ１，Ｐｉｘ２が含む色成分のうち画素データＰｉｘ２が含む白成分の一部又は全部である第１色成分が白色の副画素に割り当てられ、当該色成分のうち第１色成分を除いた第２色成分が他の副画素に割り当てられる。【選択図】図５
2019168595.tif 000002
【特許請求の範囲】
【請求項１】
複数の副画素が行列方向に沿ってマトリクス状に配列された表示部と、
赤色、緑色及び青色の３色で構成される画素データが前記マトリクス状に配列された画像の入力信号に基づいて前記表示部が画像を表示するための出力信号を前記表示部に出力する信号処理部と、を備え、
前記副画素は、赤色の第１副画素、緑色の第２副画素、青色の第３副画素及び白色の第４副画素を含み、
行方向と列方向のうち一方向に並ぶ前記第２副画素と前記第４副画素との間には前記第１副画素又は前記第３副画素があり、
前記信号処理部は、前記入力信号において前記一方向に並ぶ２つの画素データに割り当てられている色成分を前記表示部が有する副画素の組に割り当てる前記出力信号を出力し、
前記副画素の組は、前記第１副画素と前記第２副画素と前記第３副画素と前記第４副画素を１つずつ含み、
前記２つの画素データが含む色成分のうち１つの画素データが含む白成分の一部又は全部である第１色成分が前記第４副画素に割り当てられ、前記２つの画素データが含む色成分のうち前記第１色成分を除いた第２色成分が前記第１副画素と前記第２副画素と前記第３副画素に割り当てられる
表示装置。
【請求項２】
前記第１色成分は、前記２つの画素データのうち一方の画素データが含む白成分である
請求項１に記載の表示装置。
【請求項３】
前記第１副画素と前記第２副画素と前記第３副画素の組み合わせによって再現可能な最高輝度の白色は、前記第４副画素によって再現可能な最高輝度の白色よりも高輝度であり、
前記第１色成分は、前記２つの画素データのうち一方の画素データが含む白成分の一部である
請求項１に記載の表示装置。
【請求項４】
前記副画素の組は、行方向に沿って並ぶ前記第１副画素と前記第２副画素と前記第３副画素と前記第４副画素を１つずつ含み、
前記表示部は、列方向に沿って同一の色の副画素が並んでいる
請求項１から３のいずれか一項に記載の表示装置。
【請求項５】
前記表示部は、副画素が色毎に千鳥状に配置されている
請求項１から３のいずれか一項に記載の表示装置。
【請求項６】
前記副画素の組は、行方向に沿って並ぶ前記第１副画素と前記第２副画素と前記第３副画素と前記第４副画素を１つずつ含み、
前記表示部における前記副画素の駆動のための走査は、列方向に沿って行われ、
前記第１副画素と前記第２副画素と前記第３副画素の組み合わせによって再現可能な最高輝度の白色は、前記第４副画素によって再現可能な最高輝度の白色よりも高輝度であり、
前記第１色成分は、前記入力信号において行方向に並ぶ２つの画素データのうち、前記副画素の組における前記第４副画素の行方向の配置に近い一方の画素データが含む白成分の一部であり、
副画素の色の配置が千鳥状であり、
前記一方の画素データ及び前記一方の画素データと行方向に連続する他の画素データを点灯させる前記入力信号が入力された場合、前記一方の画素データが含む色成分のうち前記第１色成分に含まれない色成分が、前記他の画素データに対応する配置の前記第１副画素と前記第２副画素と前記第３副画素に割り当てられ、前記一方の画素データを点灯させ、かつ、前記他の画素データを点灯させない前記入力信号が入力された場合、前記一方の画素データが含む色成分のうち前記第１色成分に含まれない色成分が、前記第１色成分が割り当てられる前記第４副画素に対して前記走査の方向に配置されている前記第１副画素と前記第２副画素と前記第３副画素に割り当てられる
請求項１に記載の表示装置。
【発明の詳細な説明】
【技術分野】
【０００１】
本発明は、表示装置に関する。
【背景技術】
【０００２】
所定数の画素で構成される所定解像度の画像データを、当該所定数よりも少ない数の画素で表示する方法が知られている（例えば特許文献１）。
【先行技術文献】
【特許文献】
【０００３】
【特許文献１】特開２０１５−１９７４６１号公報
【発明の概要】
【発明が解決しようとする課題】
【０００４】
本発明は、所定数の画素データで構成される所定解像度の画像データを、より少ない数の副画素で表示することができる表示装置を提供することを目的とする。
【課題を解決するための手段】
【０００５】
本発明の一態様による表示装置は、複数の副画素が行列方向に沿ってマトリクス状に配列された表示部と、赤色、緑色及び青色の３色で構成される画素データが前記マトリクス状に配列された画像の入力信号に基づいて前記表示部が画像を表示するための出力信号を前記表示部に出力する信号処理部と、を備え、前記副画素は、赤色の第１副画素、緑色の第２副画素、青色の第３副画素及び白色の第４副画素を含み、行方向と列方向のうち一方向に並ぶ前記第２副画素と前記第４副画素との間には前記第１副画素又は前記第３副画素があり、前記信号処理部は、前記入力信号において前記一方向に並ぶ２つの画素データに割り当てられている色成分を前記表示部が有する副画素の組に割り当てる前記出力信号を出力し、前記副画素の組は、前記第１副画素と前記第２副画素と前記第３副画素と前記第４副画素を１つずつ含み、前記２つの画素データが含む色成分のうち１つの画素データが含む白成分の一部又は全部である第１色成分が前記第４副画素に割り当てられ、前記２つの画素データが含む色成分のうち前記第１色成分を除いた第２色成分が前記第１副画素と前記第２副画素と前記第３副画素に割り当てられる。
【図面の簡単な説明】
【０００６】
【図１】図１は、実施形態１に係る表示装置の構成の一例を示すブロック図である。
【図２】図２は、実施形態１に係る画像表示パネルの画素及び副画素の配列を示す模式図である。
【図３】図３は、実施形態１に係る表示装置の画像表示パネル及び画像表示パネル駆動回路の概念図である。
【図４】図４は、入力信号に基づいた画像データの模式図である。
【図５】図５は、信号処理部による信号処理の一例を示す説明図である。
【図６】図６は、信号処理部による信号処理の一例を示す説明図である。
【図７】図７は、実施形態２に係る画像表示パネルの画素及び副画素の配列を示す模式図である。
【図８】図８は、入力信号に基づいた画像データの一例を示す模式図である。
【図９】図９は、例外処理を適用しなかった場合の点灯パターン例を示す模式図である。
【図１０】図１０は、例外処理の一パターンを示す説明図である。
【図１１】図１１は、例外処理の一パターンを示す説明図である。
【図１２】図１２は、例外処理の一パターンを示す説明図である。
【図１３】図１３は、例外処理を適用した場合の点灯パターン例を示す模式図である。
【図１４】図１４は、変形例における副画素の形状及び配置例を示す模式図である。
【発明を実施するための形態】
【０００７】
以下に、実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（実施形態）
図１は、実施形態１に係る表示装置１０の構成の一例を示すブロック図である。図２は、実施形態１に係る画像表示パネルの画素４８及び副画素４９の配列を示す模式図である。図３は、実施形態１に係る表示装置１０の画像表示パネル及び画像表示パネル駆動回路の概念図である。
【０００９】
図１に示すように、表示装置１０は、制御装置１１の画像出力部１２からの入力信号ＩＰ（ＲＧＢデータ）が入力され所定のデータ変換処理を実行して出力信号ＯＰを出力する信号処理部２０と、信号処理部２０から出力された出力信号ＯＰに基づいて画像を表示させる画像表示パネル３０と、画像表示パネル３０の駆動を制御する画像表示パネル駆動回路４０と、画像表示パネル３０を、例えばその背面から照明する面状光源装置５０と、面状光源装置５０の駆動を制御する光源制御回路６０と、を備える。実施形態において、画像表示パネル３０と画像表示パネル駆動回路４０を含む構成は、表示部２５として機能する。
【００１０】
信号処理部２０は、画像表示パネル３０及び面状光源装置５０のそれぞれの動作を同期して制御する。信号処理部２０は、画像表示パネル３０を駆動するための画像表示パネル駆動回路４０、及び、面状光源装置５０を駆動するための光源制御回路６０と接続されている。信号処理部２０は、外部から入力される入力信号ＩＰを処理して出力信号ＯＰ及び光源制御信号を生成する。より具体的には、信号処理部２０は、ＲＧＢ３色の色成分を示す入力信号ＩＰの入力ＨＳＶ色空間の入力値（入力信号ＩＰ）を、ＲＧＢＷ４色の色成分で再現される再現ＨＳＶ色空間の再現値（出力信号ＯＰ）に変換して生成し、これに基づく出力信号ＯＰを画像表示パネル駆動部４０に出力する。また、信号処理部２０は、出力信号ＯＰに対応する光源制御信号を光源制御回路６０に出力する。
【００１１】
図４は、入力信号ＩＰに基づいた画像データの模式図である。画像出力部１２は、例えば図４に示すような、ＲＧＢ３色の組み合わせによる画素データＰｉｘがマトリクス状に配列された画像データを構成する信号を入力信号ＩＰとして出力する。なお、画素データＰｉｘとは、入力信号における画素である。図４等では、画素データＰｉｘを構成する３色のサブ画素データのうち、赤色のサブ画素データにＳｐｉｘＲを付し、緑色のサブ画素データにＳｐｉｘＧを付し、青色のサブ画素データにＳｐｉｘＢを付している。
【００１２】
図２、図３に示すように、画像表示パネル３０は、ＨＶの２次元座標系に複数の画素４８がマトリクス状に配列されている。この例において、行方向がＨ方向、列方向がＶ方向である。なお、画素４８の配列と画素データＰｉｘの配列を区別する目的で、画素４８の配列における行方向、列方向をＨ方向、Ｖ方向とし、画素データＰｉｘの配列における行方向、列方向をｘ方向、ｙ方向としている。
【００１３】
画素４８は、第１副画素４９Ｒと、第２副画素４９Ｇと、第３副画素４９Ｂと、第４副画素４９Ｗとを有する。第１副画素４９Ｒは、赤色（Ｒ）の光を発する。第２副画素４９Ｇは、緑色（Ｇ）の光を発する。第３副画素４９Ｂは、青色（Ｂ）の光を発する。第４副画素４９Ｗは、白色（Ｗ）の光を発する。以下において、第１副画素４９Ｒと、第２副画素４９Ｇと、第３副画素４９Ｂと、第４副画素４９Ｗとをそれぞれ区別する必要がない場合、副画素４９という。すなわち、画素４８は、第１副画素４９Ｒと、第２副画素４９Ｇと、第３副画素４９Ｂと、第４副画素４９Ｗとを１つずつ含む副画素の組の一形態である。第４副画素４９Ｗによる白色（Ｗ）の色度は、第１副画素４９Ｒと第２副画素４９Ｇと第３副画素４９Ｂの３色の副画素４９が均等に点灯することで再現される白色の色度と実質一致している。
【００１４】
表示装置１０は、例えば透過型のカラー液晶表示装置である。この例において、画像表示パネル３０は、カラー液晶表示パネルであり、第１副画素４９Ｒと画像観察者との間に赤色（Ｒ）の光を通過させる第１カラーフィルタが配置され、第２副画素４９Ｇと画像観察者との間に緑色（Ｇ）の光を通過させる第２カラーフィルタが配置され、第３副画素４９Ｂと画像観察者との間に青色（Ｂ）の光を通過させる第３カラーフィルタが配置されている。また、画像表示パネル３０は、第４副画素４９Ｗと画像観察者との間にカラーフィルタが配置されていない。第４副画素４９Ｗには、カラーフィルタの代わりに透明な樹脂層が備えられていてもよい。このように画像表示パネル３０は、透明な樹脂層を設けることで、第４副画素４９Ｗにカラーフィルタを設けないことによって第４副画素４９Ｗに大きな段差が生じることを抑制することができる。
【００１５】
画像表示パネル３０は、図２に示す例では、Ｈ方向の一方から他方に向かって第１副画素４９Ｒ、第２副画素４９Ｇ、第３副画素４９Ｂ、第４副画素４９Ｗの順で周期的に副画素４９が配置されている。すなわち、一方向（例えば、Ｈ方向）に並ぶ第２副画素４９Ｇと第４副画素４９Ｗとの間には第１副画素４９Ｒ又は第３副画素４９Ｂがある。また、図２に示す例では、他方向（例えば、Ｖ方向）に沿って同一の色の副画素４９が並ぶ所謂ストライプ配列になっている。一般的には、ストライプ配列に類似した配列は、パーソナルコンピュータ等においてデータや文字列を表示するのに好適である。
【００１６】
画像表示パネル駆動回路４０は、信号出力回路４１及び走査回路４２を備えている。画像表示パネル駆動回路４０は、信号出力回路４１によって映像信号を保持し、順次、画像表示パネル３０に出力する。信号出力回路４１は、配線ＤＴＬによって画像表示パネル３０と電気的に接続されている。画像表示パネル駆動回路４０は、走査回路４２によって、画像表示パネル３０における副画素の動作（例えば表示輝度で、この場合は光透過率）を制御するためのスイッチング素子（例えば、薄膜トランジスタ(ＴＦＴ)）のＯＮ／ＯＦＦを制御する。走査回路４２は、配線ＳＣＬによって画像表示パネル３０と電気的に接続されている。表示部２５において、走査回路４２による副画素４９の駆動のための走査は、行方向又は列方向のうち他方向（例えば、Ｖ方向）、すなわち、配線ＳＣＬの並び方向に沿って行われる。
【００１７】
面状光源装置５０は、画像表示パネル３０の背面に配置され、画像表示パネル３０に向けて光を照射することで、画像表示パネル３０を照明する。面状光源装置５０は、画像表示パネル３０の全面にわたり光を照射し、画像表示パネル３０を照明する。面状光源装置５０は、画像表示パネル３０の前面に配置したフロントライト構成であってもよい。また画像表示パネル３０として自発光のディスプレイ、例えばＯＬＥＤ（Organic  Light  Emitting  Diode）ディスプレイ等を用いることができ、この場合にはこの面状光源装置５０を不要にできる。
【００１８】
光源制御回路６０は、面状光源装置５０から出力する光の照射光量等を制御する。具体的には、光源制御回路６０は、信号処理部２０から出力される光源制御信号に基づいて面状光源装置５０に供給する電流、電圧又は信号のｄｕｔｙ比を調整することで、画像表示パネル３０を照射する光の照射光量（光の強度）を制御する。
【００１９】
次に、信号処理部２０による信号処理について説明する。信号処理部２０は、入力信号ＩＰにおいて行方向又は列方向のうち一方向（例えば、ｘ方向）に並ぶ２つの画素データＰｉｘに割り当てられている色成分を、画像表示パネル３０が有する１つの画素４８に割り当てる出力信号ＯＰを、表示部２５の画像表示パネル駆動回路４０に出力する。具体的には、画像表示パネル３０は、２つの画素データＰｉｘが含む色成分のうち１つの画素データＰｉｘが含む白成分の一部又は全部である第１色成分を当該１つの画素４８が有する第４副画素４９Ｗに割り当て、当該２つの画素データＰｉｘが含む色成分のうち当該第１色成分を除いた第２色成分を第１副画素４９Ｒと第２副画素４９Ｇと第３副画素４９Ｂに割り当てる。
【００２０】
白成分とは、色成分のうち白色に変換可能な色成分である。白色に変換可能な色成分とは、入力信号ＩＰにおける赤色（Ｒ）、緑色（Ｇ）、青色（Ｂ）の階調値（Ｒ，Ｇ，Ｂ）のうち、最低の階調値に対応する色成分を３色から等しく抽出した成分の組み合わせである。例えば、（Ｒ，Ｇ，Ｂ）＝（１００，１５０，５０）の場合、最低の階調値は青色（Ｂ）の階調値（５０）である。この場合、白成分は、（Ｒ，Ｇ，Ｂ）＝（５０，５０，５０）になる。
【００２１】
図５及び図６は、信号処理部２０による信号処理の一例を示す説明図である。図５及び図６では、入力信号ＩＰに含まれる２つの画素データＰｉｘ１，Ｐｉｘ２の色成分を、１つの画素４８に割り当てる出力信号ＯＰを生成する信号処理部２０の信号処理について説明する。
【００２２】
図５及び図６に示す入力信号ＩＰは、２つの画素データＰｉｘ１，Ｐｉｘ２の両方とも（Ｒ，Ｇ，Ｂ）＝（ｍａｘ，ｍａｘ，ｍａｘ）であること、すなわち、２つの画素データＰｉｘ１，Ｐｉｘ２の両方とも最高輝度の白色であることを示している。ｍａｘは、入力信号における赤色（Ｒ）、緑色（Ｇ）、青色（Ｂ）の階調値の最大値である。例えば、赤色（Ｒ）、緑色（Ｇ）、青色（Ｂ）の各々が８ビットの値で表される場合、ｍａｘ＝２５５である。すなわち、この場合、（Ｒ，Ｇ，Ｂ）＝（２５５，２５５，２５５）である。
【００２３】
信号処理部２０は、入力信号ＩＰに基づいて、出力信号ＯＰを生成する。具体的には、図５に示す例の場合、信号処理部２０は、２つの画素データＰｉｘ１，Ｐｉｘ２の一方（例えば、画素データＰｉｘ２）が示す色成分のうち白色の色成分を第１色成分７１として第４副画素４９Ｗに割り当てる。また、信号処理部２０は、２つの画素データＰｉｘ１，Ｐｉｘ２の他方（例えば、画素データＰｉｘ１）が示す色成分を第２色成分７２として第１副画素４９Ｒと第２副画素４９Ｇと第３副画素４９Ｂに割り当てる。
【００２４】
実施形態における第１色成分７１は、入力信号ＩＰにおいて一方向（例えば、ｘ方向）に隣接する２つの画素データＰｉｘのうち、１つの画素４８における第４副画素４９Ｗの相対的位置に対応する一方の画素データＰｉｘが含む白成分である。例えば、実施形態における第４副画素４９Ｗは、図５等で右側に位置する。従って、２つの画素データＰｉｘのうち、右側に位置する画素データＰｉｘ２が第４副画素４９Ｗの相対的位置に対応する一方の画素データＰｉｘになる。このように、入力信号における隣接する２つの画素データＰｉｘにおいて第１色成分７１の元になる１つの画素データＰｉｘの配置と、当該入力信号に対応した出力信号の対象になる１つの画素４８が含む第４副画素４９Ｗの配置とは対応している。従って、図５に示す例では、第１色成分７１として扱われる白成分を含む画素は、画素データＰｉｘ２になる。後述する図６における第１色成分８１の元になる１つの画素データＰｉｘの配置と、当該入力信号に対応した出力信号の対象になる１つの画素４８が含む第４副画素４９Ｗの配置についても同様である。
【００２５】
信号処理部２０は、画素データＰｉｘ１の白成分を第１副画素４９Ｒと第２副画素４９Ｇと第３副画素４９Ｂに割り当て、画素データＰｉｘ２の白成分を第４（Ｗ）副画素に割り当てる。また、信号処理部２０は、画素データＰｉｘ１及び画素データＰｉｘ２の白以外の色成分を第１副画素４９Ｒと第２副画素４９Ｇと第３副画素４９Ｂに割り当てる。図５では、第１色成分７１による白色の輝度と、第２色成分７２による白色の輝度との比が１：１である。すなわち、第１副画素４９Ｒと第２副画素４９Ｇと第３副画素４９Ｂの組み合わせによって再現される白色の輝度と、第４副画素４９Ｗによって再現される白色の輝度とが等しい。言い換えれば、２つの画素データＰｉｘ１，Ｐｉｘ２の一方（例えば、画素データＰｉｘ２）が示す色成分のうち白色の色成分を全て第１色成分７１として第４副画素４９Ｗに割り当てる場合、第４副画素４９Ｗは、第１副画素４９Ｒと第２副画素４９Ｇと第３副画素４９Ｂの組み合わせにより再現される白色と同等の輝度を出力可能に設けられている。すなわち、図５に示す例では、画素４８は、（Ｒ，Ｇ，Ｂ）＝（ｍａｘ，ｍａｘ，ｍａｘ）に対応する白色の再現を、第１副画素４９Ｒと第２副画素４９Ｇと第３副画素４９Ｂの組み合わせ及び第４副画素４９Ｗのいずれでも行うことができるよう設けられている。
【００２６】
図６に示す例の場合、信号処理部２０は、隣接する２つの画素データＰｉｘ１，Ｐｉｘ２の一方（例えば、画素データＰｉｘ２）が示す色成分のうち白色の色成分の一部分を第１色成分８１として第４副画素４９Ｗに割り当てる。また、信号処理部２０は、２つの画素データＰｉｘ１，Ｐｉｘ２の一方（例えば、画素データＰｉｘ２）が示す色成分のうち当該一部分を除いた成分（残成分８２ａ）と他方（例えば、画素データＰｉｘ１）が示す色成分８２ｂを第２色成分８２として第１副画素４９Ｒと第２副画素４９Ｇと第３副画素４９Ｂに割り当てる。
【００２７】
具体的には、信号処理部２０は、画素データＰｉｘ１の白成分を第１副画素４９Ｒと第２副画素４９Ｇと第３副画素４９Ｂに割り当て、画素データＰｉｘ２の白成分を第４（Ｗ）副画素に割り当てる。また、信号処理部２０は、画素データＰｉｘ１及び画素データＰｉｘ２の白以外の色成分を第１副画素４９Ｒと第２副画素４９Ｇと第３副画素４９Ｂに割り当てる。また、画素データＰｉｘ２の白成分の輝度が第４副画素４９Ｗで表示できる輝度よりも大きい場合、画素データＰｉｘ２の白成分を第１副画素４９Ｒと第２副画素４９Ｇと第３副画素４９Ｂに割り当てることでアシスト可能である。図６では、第１色成分８１による白色の輝度と、第２色成分８２による白色の輝度との比が１：１でない。具体的には、図６に示す例の場合、第１副画素４９Ｒと第２副画素４９Ｇと第３副画素４９Ｂは、組み合わせによって、第１副画素４９Ｒ、第２副画素４９Ｇ及び第３副画素４９Ｂの最高輝度未満（図６では、ｍａｘ未満の０．８）の輝度で画素データＰｉｘ１の（Ｒ，Ｇ，Ｂ）＝（ｍａｘ，ｍａｘ，ｍａｘ）に対応する白色を再現することができる。一方、第４副画素４９Ｗは、最高輝度の出力（ｍａｘ：１．０）を行ったとしても、画素データＰｉｘ２の（Ｒ，Ｇ，Ｂ）＝（ｍａｘ，ｍａｘ，ｍａｘ）に対応する白色を再現することができない。すなわち、第４副画素４９Ｗに対応する入力データ上の画素データＰｉｘ（例えば、画素データＰｉｘ２）の白成分は、第４副画素４９Ｗで再現可能な白色の輝度よりも高い。画素データＰｉｘ２の（Ｒ，Ｇ，Ｂ）＝（ｍａｘ，ｍａｘ，ｍａｘ）に対応する白色を再現するためには、第４副画素４９Ｗによる最高輝度（ｍａｘ：１．０）に加えて、第１副画素４９Ｒ、第２副画素４９Ｇ及び第３副画素４９Ｂの出力（例えば、０．２）による輝度を必要とする。
【００２８】
言い換えれば、図６に示す例では、第４副画素４９Ｗの最高輝度（ｍａｘ：１．０）に第１副画素４９Ｒ、第２副画素４９Ｇ及び第３副画素４９Ｂの出力（例えば、０．２）を足した輝度と、第１副画素４９Ｒ、第２副画素４９Ｇ及び第３副画素４９Ｂの最高輝度未満（図６では、ｍａｘ未満の０．８）の輝度とが等しい。これは、すなわち、第１副画素４９Ｒと第２副画素４９Ｇと第３副画素４９Ｂの組み合わせによって再現可能な最高輝度の白色が、第４副画素４９Ｗによって再現可能な最高輝度の白色よりも高輝度であることを示している。
【００２９】
第１副画素４９Ｒと第２副画素４９Ｇと第３副画素４９Ｂの組み合わせによって再現可能な最高輝度の白色と、第４副画素４９Ｗによって再現可能な最高輝度の白色との輝度比は、予め定められる。一例として、画素４８において割り当てられる第１副画素４９Ｒと第２副画素４９Ｇと第３副画素４９Ｂの組み合わせによる面積と第４副画素４９Ｗの面積との比率が挙げられる。また、一例として、副画素４９の各々に配置されたカラーフィルタ（第１カラーフィルタ、第２第２カラーフィルタ、第３カラーフィルタ等）の各々の光の透過率の差異が挙げられる。
【００３０】
なお、図２のように、行方向又は列方向のうち他方向（例えば、Ｖ方向）に沿って同一の色の副画素４９が並んでいる場合、信号処理部２０は、第１副画素４９Ｒと第２副画素４９Ｇと第３副画素４９Ｂに第２色成分７２，８２を割り当てる。ここで、第１色成分７１，８１が割り当てられる第４副画素４９Ｗと、第２色成分７２，８２が割り当てられる第１副画素４９Ｒ、第２副画素４９Ｇ及び第３副画素４９Ｂとは、同じ１つの画素４８に含まれる。これは、図５を参照して説明した信号処理と図６を参照して説明した信号処理のどちらが行われるかを問わない。
【００３１】
以上説明したように、実施形態によれば、信号処理部２０が、入力信号ＩＰにおいて行方向又は列方向のうち一方向（例えば、ｘ方向）に隣接して並ぶ２つの画素データＰｉｘに割り当てられている色成分を、画像表示パネル３０が有する１つの画素４８に割り当てる。画素データＰｉｘは赤色（Ｒ）の副画素ＳｐｉｘＲ、緑色（Ｇ）の副画素ＳｐｉｘＧ、青色（Ｂ）の副画素ＳｐｉｘＢを含む。画素４８は赤色（Ｒ）の第１副画素４９Ｒ、緑色（Ｇ）の第２緑副画素４９Ｇ、緑色（Ｇ）の第３副画素４９Ｂ、白色（Ｗ）の第４副画素４９Ｗを含む。これによって、所定数の画素データＰｉｘで構成される所定解像度の画像データを、当該所定数よりも少ない数の画素４８で表示することができる。
【００３２】
また、図５を参照した説明で例示したように、第１色成分７１を、２つの画素データＰｉｘ１，Ｐｉｘ２のうち一方の画素（例えば、画素データＰｉｘ２）が含む白成分とすることができる。これによって、より簡便な処理内容で白成分の割り当てを行うことができる。
【００３３】
また、図６を参照した説明で例示したように、第１副画素４９Ｒと第２副画素４９Ｇと第３副画素４９Ｂの組み合わせによって再現可能な最高輝度の白色が、第４副画素４９Ｗによって再現可能な最高輝度の白色よりも高輝度である場合、第１色成分８１を、２つの画素データＰｉｘ１，Ｐｉｘ２のうち一方の画素（例えば、画素データＰｉｘ２）が含む白成分の一部とすることで、１つの画素４８による２つの画素データＰｉｘ１，Ｐｉｘ２の再現を行うことができる。
【００３４】
また、行方向と列方向のいずれかの方向（例えば、Ｖ方向）に沿って同一の色の副画素４９が並ぶ。このため、第１色成分７１，８１が割り当てられる第４副画素４９Ｗを有する１つの画素４８が有する第１副画素４９Ｒと第２副画素４９Ｇと第３副画素４９Ｂに第２色成分７２，８２を割り当てることができる。
【００３５】
（実施形態２）
次に、実施形態２について説明する。実施形態２の説明において、実施形態１と同様の構成については同じ符号を付して説明を省略することがある。
【００３６】
図７は、実施形態２に係る画像表示パネルの画素４８及び副画素４９の配列を示す模式図である。実施形態２では、画像表示パネル３０において画素４８が千鳥状に配置されている。具体的には、図７に示すように、Ｖ方向に沿って２つの色の副画素４９が交互に並んでいる。具体的には、Ｖ方向に沿って第１副画素４９Ｒと第３副画素４９Ｂとが交互に並ぶ副画素４９の列と、第２副画素４９Ｇと第４副画素４９Ｗとが交互に並ぶ副画素４９の列とが、Ｈ方向に交互に配置されている。すなわち、第１副画素４９Ｒは、千鳥状に配置されている。第２副画素４９Ｇ、第３副画素４９Ｂ及び第４副画素４９Ｗも、第１副画素４９Ｒと同様、千鳥状に配置されている。このように、実施形態２では、副画素４９の色の配置が千鳥状である。
【００３７】
実施形態２において、図５を参照して説明した信号処理を行う場合、実施形態１と同様、信号処理部２０は、第１色成分７１，８１が割り当てられる副画素４９と、第２色成分７２，８２が割り当てられる副画素４９とを、１つの画素４８内で完結させてよい。一方、実施形態２において、図６を参照して説明した信号処理を行う場合、第１色成分７１，８１が割り当てられる副画素４９と、第２色成分７２，８２が割り当てられる副画素４９とを、１つの画素４８内に限定しない例外処理を行った方がよいことがある。
【００３８】
図８は、入力信号ＩＰに基づいた画像データの一例を示す模式図である。図９は、例外処理を適用しなかった場合の点灯パターン例を示す模式図である。図８には、ｘ方向に並ぶ画素データＰｉｘの配置にａ１，ａ２，ｂ１，ｂ２，ｃ１，ｃ２，ｄ１，ｄ２，ｅ１，ｅ２，ｆ１，ｆ２…の座標を付している。また、図８には、ｙ方向に並ぶ画素データＰｉｘの配置に１，２，３，４，５，６，７…の座標を付している。また、図９には、Ｈ方向に並ぶ画素４８の配置にａ，ｂ，ｃ，ｄ，ｅ，ｆ…の座標を付している。また、図９には、Ｖ方向に並ぶ画素４８の配置に１，２，３，４，５，６，７…の座標を付している。なお、表示部２５における画素４８の駆動のための走査は、図９及び後述する図１３におけるＶ方向のより小さい数字の方からより大きい数字の方に向かって行われるものとする。
【００３９】
ここで、第１色成分７１，８１が割り当てられる副画素４９と、第２色成分７２，８２が割り当てられる副画素４９とを、１つの画素４８内に限定した場合の入力信号ＩＰと出力信号ＯＰとの関係を図８及び図９の座標で説明する。例えば、ｘ方向の座標が「ａ１」であり、ｙ方向の座標が「ｍ」（ｍは、自然数の奇数）である画素データＰｉｘと、ｘ方向の座標が「ａ２」であり、ｙ方向の座標が「ｍ」である画素データＰｉｘの入力信号ＩＰの色成分は、出力信号ＯＰにおいて、Ｈ方向の座標が「ａ１，ａ２」であり、Ｖ方向の座標が「ｍ」である画素４８に割り当てられる。この入力信号ＩＰと出力信号ＯＰの関係を、（ａ１＋ａ２，ｍ）→（ａ，ｍ）と表すものとする。同様に、（ｂ１＋ｂ２，ｍ）→（ｂ，ｍ）、（ｃ１＋ｃ２，ｍ）→（ｃ，ｍ）、（ｄ１＋ｄ２，ｍ）→（ｄ，ｍ）、（ｅ１＋ｅ２，ｍ）→（ｅ，ｍ）、（ｆ１＋ｆ２，ｍ）→（ｆ，ｍ）…である。また、ｘ方向の座標が「ａ２」であり、ｙ方向の座標が「ｎ」（ｎは、自然数の偶数）である画素データＰｉｘと、ｘ方向の座標が「ｂ１」であり、ｙ方向の座標が「ｎ」である画素データＰｉｘの入力信号ＩＰの色成分は、出力信号ＯＰにおいて、Ｈ方向の中心に「ａｂ」の一点鎖線が通り、Ｖ方向の座標が「ｎ」である画素４８に割り当てられる。この入力信号ＩＰと出力信号ＯＰの関係を、（ａ２＋ｂ１，ｎ）→（ａｂ，ｎ）と表すものとする。同様に、（ｂ２＋ｃ１，ｎ）→（ｂｃ，ｎ）、（ｃ２＋ｄ１，ｎ）→（ｃｄ，ｎ）、（ｄ２＋ｅ１，ｎ）→（ｄｅ，ｎ）、（ｅ２＋ｆ１，ｎ）→（ｅｆ，ｎ）…である。
【００４０】
図８に示す画像データは、ｘ方向の座標ｃ１においてｙ方向に沿う白色の画素データＰｉｘの列と、ｙ方向の座標４においてｘ方向に沿う白色の画素データＰｉｘの行と、を有する。この白色の画素データＰｉｘの行及び列を構成する画素データＰｉｘ以外の画素データＰｉｘは、黒色である。図８では、白色の画素データＰｉｘを構成するサブ画素データＳｐｉｘＲ、サブ画素データＳｐｉｘＧ及びサブ画素データＳｐｉｘＢにマスキングを施し、黒色の画素データＰｉｘを構成するサブ画素データＳｐｉｘＲ、サブ画素データＳｐｉｘＧ及びサブ画素データＳｐｉｘＢにマスキングを施していない。後述する図１０、図１１及び図１２でも同様である。
【００４１】
実施形態２において、図８のような画像データに対応する入力信号ＩＰに対して、図６を参照して説明した信号処理を行い、かつ、第１色成分７１，８１が割り当てられる副画素４９と、第２色成分７２，８２が割り当てられる副画素４９とを、１つの画素４８内に限定した場合、図９のような出力が得られる。具体的には、（ｂ２＋ｃ１，２）→（ｂｃ，２）の入力信号ＩＰ→出力信号ＯＰ変換によって、座標（ｂ，２）に含まれる第１副画素４９Ｒ及び第２副画素４９Ｇが点灯している。一方、座標（ｂ，１）及び座標（ｂ，３）の画素４８に含まれる副画素４９は点灯していない。より具体的には、図８の（ｃ１，１）は図９では（ｃ，１）のＲＧＢの位置に対応しているため、図９では第１副画素４９Ｒ、第２副画素４９Ｇ、第３副画素４９Ｂの組み合わせのみで白を表示している。また、図８の（ｃ１，２）は図９では（ｃ，２）の第４副画素４９Ｗに対応している。このため、第４副画素４９で白を表示しているが、さらに、当該第４副画素４９を含む画素４８の第１副画素４９Ｒ、第２副画素４９Ｇ、第３副画素４９Ｂで白色の輝度をアシストしている。このため、座標（ｂ，１）−（ｂ，２）−（ｂ，３）とＶ方向に連続する副画素４９列において、座標（ｂ，２）の位置で座標ｃ側から座標ｂ側に突出する点灯パターンが生じている。同様に、（ｂ２＋ｃ１，６）→（ｂｃ，６）の入力信号ＩＰ→出力信号ＯＰ変換によって、座標（ｂ，６）に含まれる第１副画素４９Ｒ及び第２副画素４９Ｇが点灯している。一方、座標（ｂ，５）及び座標（ｂ，７）の画素４８に含まれる副画素４９は点灯していない。このため、座標（ｂ，５）−（ｂ，６）−（ｂ，７）とＶ方向に連続する副画素４９列において、座標（ｂ，６）の位置で座標ｃ側から座標ｂ側に突出する点灯パターンが生じている。すなわち、入力信号ＩＰでは座標ｃ１においてｙ方向に沿う白色の画素データＰｉｘの列であった画像が、出力信号ＯＰでは座標（ｂ，２）及び座標（ｂ，６）において座標ｃ側から座標ｂ側に突出する点灯パターンを有する画像になっている。
【００４２】
図９に示すような点灯パターンが生じるのは、図６を参照して説明したように、入力信号ＩＰにおける画素データＰｉｘが画像表示パネル３０の第４副画素４９Ｗに対応する場合である。すなわち、第１副画素４９Ｒと第２副画素４９Ｇと第３副画素４９Ｂの組み合わせによって再現可能な最高輝度の白色が、第４副画素４９Ｗによって再現可能な最高輝度の白色よりも高輝度である場合である。言い換えれば、第１副画素４９Ｒ、第２副画素４９Ｇ、第３副画素４９Ｂで白色の輝度をアシストする場合である。この場合に、「色成分の割り当てを１つの画素４８内に限定する」ことに対して例外を設けなかった場合に、図９のような出力信号ＯＰに対応する出力が生じることがある。そこで、実施形態２では、第２色成分の割り当て先に例外処理を設けることで、図９における座標（ｂ，２）及び座標（ｂ，６）の突出する点灯パターンの発生を抑制することができる。以下、例外処理について、図１０から図１２を参照して説明する。
【００４３】
図１０、図１１及び図１２はそれぞれ、例外処理の一パターンを示す説明図である。図１０、図１１及び図１２では、入力信号における２つの画素データＰｉｘにおいて第１色成分８１の元になる１つの画素データＰｉｘを入力対象Ｔ１とし、当該入力対象Ｔ１に対応した出力信号の対象である第４副画素４９Ｗを出力対象Ｔ２としている。また、図１０、図１１及び図１２では、第１色成分８１が割り当てられる第４副画素４９Ｗならびに第２色成分８２が割り当てられる第１副画素４９Ｒ、第２副画素４９Ｇ及び第３副画素４９Ｂにマスキングを施している。
【００４４】
図１０に示すように、白色である入力対象Ｔ１の画素データＰｉｘに対してｘ方向に連続する画素データＰｉｘＡが白色である場合、信号処理部２０は、出力対象Ｔ２に対して画素データＰｉｘＡに対応する配置の第１副画素４９Ｒと第２副画素４９Ｇと第３副画素４９Ｂの組み合わせに対して残成分８２ａを割り当てる。これによって、出力対象Ｔ２の第４副画素４９Ｗは第１色成分８１に応じて点灯し、画素データＰｉｘＡに対応する配置の第１副画素４９Ｒと第２副画素４９Ｇと第３副画素４９Ｂは第２色成分８２に応じて点灯する。
【００４５】
また、図１１に示すように、白色である入力対象Ｔ１の画素データＰｉｘに対してｘ方向に連続する画素データＰｉｘＢが白色である場合、信号処理部２０は、出力対象Ｔ２に対して画素データＰｉｘＢに対応する配置の第１副画素４９Ｒと第２副画素４９Ｇと第３副画素４９Ｂの組み合わせに対して残成分８２ａを割り当てる。これによって、出力対象Ｔ２の第４副画素４９Ｗは第１色成分８１に応じて点灯し、画素データＰｉｘＢに対応する配置の第１副画素４９Ｒと第２副画素４９Ｇと第３副画素４９Ｂは第２色成分８２に応じて点灯する。なお、図１０に示す画素データＰｉｘＡと、図１１に示す画素データＰｉｘＢとは、入力対象Ｔ１を挟んでｘ方向の反対側に位置する。このため、画素データＰｉｘＡに対応する配置の第１副画素４９Ｒ、第２副画素４９Ｇ及び第３副画素４９Ｂと、画素データＰｉｘＢに対応する配置の第１副画素４９Ｒ、第２副画素４９Ｇ及び第３副画素４９Ｂとは、出力対象Ｔ２を挟んでＨ方向の反対側に位置する。
【００４６】
図１０及び図１１を参照して説明したように、実施形態２の信号処理部２０は、ある画素データＰｉｘ（例えば、入力対象Ｔ１）及び入力対象Ｔ１と一方向（例えば、ｘ方向）に連続する他の画素データＰｉｘ（例えば、画素データＰｉｘＡ又は画素データＰｉｘＢ）を点灯させる入力信号ＩＰが入力された場合、入力対象Ｔ１が含む色成分のうち第１色成分８１に含まれない色成分（残成分８２ａ）を、他の画素データＰｉｘに対応する配置の第１副画素４９Ｒと第２副画素４９Ｇと第３副画素４９Ｂに割り当てる。
【００４７】
また、図１２に示すように、白色である入力対象Ｔ１の画素データＰｉｘに対して、走査回路４２による画素４８の走査方向に対応する方向に向かってｙ方向に連続する画素データＰｉｘＣが白色である場合、画像表示パネル３０においても画素データＰｉｘＣの白成分の残成分８２ａがＶ方向に隣接する第１副画素４９Ｒ、第２副画素４９Ｇ、第３副画素４９Ｂに割り当てられる。すなわち、信号処理部２０は、出力対象Ｔ２に対して画素データＰｉｘＣに対応する配置の第１副画素４９Ｒと第２副画素４９Ｇと第３副画素４９Ｂの組み合わせに対して残成分８２ａを割り当てる。これによって、出力対象Ｔ２の第４副画素４９Ｗは第１色成分８１に応じて点灯し、画素データＰｉｘＣに対応する配置の第１副画素４９Ｒと第２副画素４９Ｇと第３副画素４９Ｂは第２色成分８２に応じて点灯する。
【００４８】
図１２を参照して説明したように、信号処理部２０は、ある画素データＰｉｘ（例えば、入力対象Ｔ１）を点灯させ、かつ、入力対象Ｔ１と一方向（例えば、ｘ方向）に連続する他の画素データＰｉｘを点灯させない入力信号ＩＰが入力された場合、入力対象Ｔ１が含む色成分のうち第１色成分８１に含まれない色成分（残成分８２ａ）を、第１色成分８１が割り当てられる第４副画素４９Ｗ（出力対象Ｔ２）に対して走査の方向に配置されている第１副画素４９Ｒと第２副画素４９Ｇと第３副画素４９Ｂに割り当てる。図１０、図１１及び図１２を参照して説明した通り、例外処理では、画素４８という副画素の組の一形態に例外を設ける。信号処理部２０は、入力対象Ｔ１と出力対象Ｔ２との関係及び入力対象Ｔ１に隣接する画素データＰｉｘの点灯の有無に基づいて、出力対象Ｔ２の第４副画素４９Ｗと組になる第１副画素４９Ｒと第２副画素４９Ｇと第３副画素４９Ｂを決定する。
【００４９】
なお、入力対象Ｔ１の画素データＰｉｘに対してｘ方向及びｙ方向に隣接する他の画素データＰｉｘがいずれも点灯しない場合、図１２に示す例と同様、出力対象Ｔ２に対して走査方向に対応する配置の第１副画素４９Ｒと第２副画素４９Ｇと第３副画素４９Ｂの組み合わせに対して残成分８２ａを割り当てるようにしてもよい。また、この場合、残成分８２ａを切り捨てるようにしてもよい。すなわち、出力対象Ｔ２の第４副画素４９Ｗを第１色成分８１に応じて点灯させるのみとしてもよい。
【００５０】
図１３は、例外処理を適用した場合の点灯パターン例を示す模式図である。図１３における座標は、図９における座標と同様である。図１３に示す例では、（ｂ２＋ｃ１，２）→（ｂｃ，２）の入力信号ＩＰ→出力信号ＯＰ変換において、図１２を参照して説明した例外処理が適用されている。すなわち、（ｃ１，２）の画素データＰｉｘを入力対象Ｔ１とし、（ｃ１，３）の画素データＰｉｘを画素データＰｉｘＣとして扱うことで、（ｂｃ，２）の画素４８が有する副画素４９に対して走査方向に配置されている（ｃ，３）の画素４８が有する第１副画素４９Ｒと第２副画素４９Ｇと第３副画素４９Ｂに残成分８２ａを割り当てている。このため、（ｂｃ，２）の画素４８が有する第１副画素４９Ｒ、第２副画素４９Ｇ及び第３副画素４９Ｂが点灯しなくなる。これによって、図９において座標（ｂ，２）の位置で座標ｃ側から座標ｂ側に突出していた点灯パターンの発生を抑制している。同様に、（ｃ１，６）の画素データＰｉｘを入力対象Ｔ１とし、（ｃ１，７）の画素データＰｉｘを画素データＰｉｘＣとして扱うことで、（ｂｃ，６）の画素４８が有する副画素４９に対して走査方向に配置されている（ｃ，７）の画素４８が有する第１副画素４９Ｒと第２副画素４９Ｇと第３副画素４９Ｂに残成分８２ａを割り当てている。このため、（ｂｃ，６）の画素４８が有する第１副画素４９Ｒ、第２副画素４９Ｇ及び第３副画素４９Ｂが点灯しなくなる。これによって、図９において座標（ｂ，６）の位置で座標ｃ側から座標ｂ側に突出していた点灯パターンの発生を抑制している。図９及び図１３では、（ｃ，２）と（ｃ，６）に基づいて生じた残成分８２ａが割り当てられている第１副画素４９Ｒと第２副画素４９Ｇと第３副画素４９Ｂに「射線で図示した濃いハッチング」を施している。
【００５１】
以上、実施形態２によれば、第１副画素４９Ｒと第２副画素４９Ｇと第３副画素４９Ｂの組み合わせによって再現可能な最高輝度の白色が第４副画素４９Ｗによって再現可能な最高輝度の白色よりも高輝度であり、第１色成分８１が、入力信号ＩＰにおいて一方向（例えば、ｘ方向）に並ぶ２つの画素のうち、１つの画素４８における第４副画素４９Ｗの一方向（例えば、Ｈ方向）の配置に近い一方の画素データＰｉｘが含む白成分の一部であり、副画素４９の色の配置が千鳥状であっても、入力信号ＩＰの画像データにより忠実な画像を表示することができる。
【００５２】
（変形例）
図１４は、変形例における副画素４９の形状及び配置例を示す模式図である。実施形態２で図７等を参照して説明した画素４８が有する副画素４９は色を問わず形状及び大きさが同様であったが、副画素４９は、色によって形状、大きさの少なくとも一方が異なっていてもよい。例えば、図１４に示すように、第１副画素４９Ｒ及び第３副画素４９Ｂと、第２副画素４９Ｇ及び第４副画素４９ＷのＨ方向の幅が異なっていてもよい。また、第２副画素４９Ｇと第４副画素４９ＷのＶ方向の幅が異なっていてもよい。図１４では、第１副画素４９Ｒ及び第３副画素４９ＢのＨ方向の幅が第２副画素４９Ｇ及び第４副画素４９ＷのＨ方向の幅より大きく、第２副画素４９ＧのＶ方向の幅が第１副画素４９Ｒ、第２副画素４９Ｇ及び第４副画素４９ＷのＶ方向の幅より大きく、第４副画素４９ＷのＶ方向の幅が第１副画素４９Ｒ及び第２副画素４９ＧのＶ方向の幅より小さい。図１４に示す副画素４９の色毎の形状及び大きさはあくまで一例であってこれに限られるものでない。
【００５３】
また、図１４では、Ｈ方向の一方から他方に向かって第１副画素４９Ｒ、第２副画素４９Ｇ、第３副画素４９Ｂ、第４副画素４９Ｗの順に並ぶ画素４８と、Ｈ方向の一方から他方に向かって第３副画素４９Ｂ、第４副画素４９Ｗ、第１副画素４９Ｒ、第２副画素４９Ｇの順に並ぶ画素４８ＡとがＶ方向に並ぶ例を示している。画素４８Ａが有する副画素は、実施形態２のように、画素４８に対して千鳥状に配置された２つの画素４８の一部分であってもよい。
【００５４】
なお、上述の説明における行方向（Ｈ方向）と列方向（Ｖ方向）の関係は逆であってもよい。この場合、ｘ方向とｙ方向も逆になる。また、上述の説明では、表示装置１０が透過型のカラー液晶表示装置である場合を例示したが、これに限られるものでない。その他の表示装置の適用例として、半透過型又は反射型の液晶表示装置、有機エレクトロルミネセンス（ＥＬ：Electroluminescence）を利用した表示装置、その他の自発光型表示装置、あるいは電気泳動素子等を有する電子ペーパー型表示装置等、あらゆるフラットパネル型の画像表示装置が挙げられる。また、中小型から大型まで、特に限定することなく適用が可能であることは言うまでもない。
【００５５】
また、実施形態において述べた態様によりもたらされる他の作用効果について本明細書記載から明らかなもの、又は当業者において適宜想到し得るものについては、当然に本発明によりもたらされるものと解される。
【符号の説明】
【００５６】
１０  表示装置
２０  信号処理部
２５  表示部
３０  画像表示パネル
４０  画像表示パネル駆動回路
４１  信号出力回路
４２  走査回路
４８  画素
４９  副画素
４９Ｒ  第１副画素
４９Ｇ  第２副画素
４９Ｂ  第３副画素
４９Ｗ  第４副画素
５０  面状光源装置
６０  光源制御回路
Ｐｉｘ  画素データ
【図１】
2019168595.tif 000003
【図２】
2019168595.tif 000004
【図３】
2019168595.tif 000005
【図４】
2019168595.tif 000006
【図５】
2019168595.tif 000007
【図６】
2019168595.tif 000008
【図７】
2019168595.tif 000009
【図８】
2019168595.tif 000010
【図９】
2019168595.tif 000011
【図１０】
2019168595.tif 000012
【図１１】
2019168595.tif 000013
【図１２】
2019168595.tif 000014
【図１３】
2019168595.tif 000015
【図１４】
2019168595.tif 000016